(57)【要約】【課題】特許第５０６１３０３号公報のＬＥＤ電球保持具は、広範囲を照明するため、ＬＥＤ電球ソケットを保持する部位が２軸回動する。しかし、２軸回動のディテールが複雑である。その複雑さを軽減するＬＥＤ電球保持具を提供する。【解決手段】特許第５０６１３０３号公報のＬＥＤ電球保持具の主要構造部位であるサイドメンバーを変形させる本提案のＬＥＤ電球保持具のＬＥＤ電球ソケットが１軸で回動し照明方向を変える効果と、特許第５０６１３０３号公報のＬＥＤ電球ソケットを２軸で回動し照明方向を変える効果がほぼ同等となるようにする。これにより、特許第５０６１３０３号公報の実施例に示すＬＥＤ電球ソケットの２軸回動する部位の複雑な構造を簡素化する。【選択図】  図１
2015026551.tif 000002
【特許請求の範囲】
【請求項１】
ＬＥＤ電球が装着可能で、該ＬＥＤ電球が使用可能な電源を供給する電球ソケットが一つ以上固着され、及び／または、所定の範囲で首振り可能に持着され、及び／または、所定の範囲で１軸の軸回りで回動可能に持着され、及び／または、所定の範囲で直交する２軸のそれぞれの軸回りで回動可能に持着された構造体で、
該構造体は、二つ以上のサイドメンバーと、一つ以上のクロスメンバーとで構成された略フレーム構造体で、
直管形蛍光灯器具の少なくとも一対の蛍光灯ソケットに固着されるか、または、着脱可能に保持され、
前記電源は、商用電源、前記蛍光灯器具の常夜灯用白熱電球ソケット、前記蛍光灯器具の蛍光灯ソケット、及び前記蛍光灯器具の点灯管ソケットのいずれか一つから供給を受け、
前記蛍光灯ソケット、または、前記点灯管ソケットから前記電源の供給を受ける場合は、
前記電源を前記ＬＥＤ電球が使用可能な電源にするために、前記電源を制御する制御回路を具備するか、または、前記蛍光灯器具が具備する所定の装置を改造することにより前記電源の供給を受けるＬＥＤ電球保持具であって、
前記一対の蛍光灯ソケットを結ぶ直線をｘ軸とし、その一端の座標を原点（０、０、０）とし、他端の座標を（ｘend、０、０）とし、鉛直方向をz軸とし、x軸とz軸に直交する方向をy軸とし、
前記二つ以上のサイドメンバーをS１、S２、・・・Snとし、
該S１、S２、・・・Sn部材上の点を（ｘ、ｙ１（ｘ）、ｚ１（ｘ））、（ｘ、ｙ２（ｘ）、ｚ２（ｘ））、・・・（ｘ、ｙｎ（ｘ）、ｚｎ（ｘ））とし、
サイドメンバーが二つの時、
前記S１部材上でｄｙ１（ｘ）／ｄｘ≠０となる点が１つ以上あり、及び／または、ｄｚ１（ｘ）／ｄｘ≠０となる点が１つ以上あり、
及び／または、
前記S２部材上でｄｙ２（ｘ）／ｄｘ≠０となる点が１つ以上あり、及び／または、ｄｚ２（ｘ）／ｄｘ≠０となる点が１つ以上あることを特徴とする略フレーム構造体のＬＥＤ電球保持具。
【請求項２】
前記蛍光灯ソケットから電源供給を受け、該電源を前記ＬＥＤ電球が使用可能な電源にするための制御回路を具備し、前記蛍光灯ソケットに着脱可能な部位３ｆと、
前記点灯管ソケットから電源供給を受け、該電源を前記ＬＥＤ電球が使用可能な電源にするための制御回路を具備し、前記点灯管ソケットに着脱可能な部位３ｄと、
前記商用電源から電源供給を受け、前記商用電源のソケットに着脱可能な部位３ｅと、
前記常夜灯用白熱電球ソケットから電源供給を受け、前記常夜灯用白熱電球ソケットに着脱可能な部位３ｃと、を付属し、または、付属可能で、
前記部位３ｆ、３ｄ、３ｅ、３ｃのいずれもが、または、いずれか一つが着脱可能な装着口を具備可能であることを特徴とする請求項１に記載のＬＥＤ電球保持具。
【請求項３】
ＬＥＤ電球が装着可能で、該ＬＥＤ電球が使用可能な電源を供給する電球ソケットが一つ以上固着され、及び／または、所定の範囲で首振り可能に持着され、及び／または、所定の範囲で１軸の軸回りで回動可能に持着され、及び／または、所定の範囲で直交する２軸のそれぞれの軸回りで回動可能に持着された構造体で、
該構造体は、一つ以上の略棒状部材で構成された略環状フレーム構造体で、
環状蛍光灯器具の少なくとも一組の環状蛍光灯用ランプホルダーに固着されるか、または、着脱可能に保持され、
前記電源は、商用電源、前記環状蛍光灯器具の常夜灯用白熱電球ソケット、前記環状蛍光灯器具の蛍光灯ソケット、及び前記環状蛍光灯器具の点灯管ソケットのいずれか一つから供給を受け、
前記環状蛍光灯器具の前記蛍光灯ソケットから電源の供給を受ける場合は、前記環状蛍光灯器具が具備する所定の装置を改造するか、該電源を前記ＬＥＤ電球が使用可能な電源にするための制御回路を具備するか、該制御回路を具備し該蛍光灯ソケットに着脱可能な部位３ｆを介して電源の供給を受け、
前記環状蛍光灯器具の前記点灯管ソケットから電源の供給を受ける場合は、前記環状蛍光灯器具が具備する所定の装置を改造するか、該電源を前記ＬＥＤ電球が使用可能な電源にするための制御回路を具備するか、該制御回路を具備し該点灯管ソケットに着脱可能な部位３ｄを介して電源の供給を受け、
前記商用電源から電源供給を受け該商用電源のソケットに着脱可能な部位３ｅと、前記環状蛍光灯器具の前記常夜灯用白熱電球ソケットから電源供給を受け該常夜灯用白熱電球ソケットに着脱可能な部位３ｃと、前記部位３ｆと、前記部位３ｄと、を付属し、または、付属可能で、
前記部位３ｆ、３ｄ、３ｅ、３ｃのいずれもが、または、いずれか一つが着脱可能な装着口を具備可能であるＬＥＤ電球保持具であって、
前記略環状フレームに最も近似する半径ｒの円形Ｒで、前記略環状フレームの中心と円形Ｒの中心が原点（０、０、０）であり、
前記略環状フレームの一点を（ｘ１、ｙ１、ｚ１）とし、近似する円形の任意の点を（ｘ２、√（ｒ・ｒ−ｘ２・ｘ２）、０）とし、
前記略環状フレームには、ｘ１＝ｘ２及びｙ１≠２√（ｒ・ｒ−ｘ２・ｘ２）の部位があり、及び／または、ｘ１＝ｘ２及びｚ１≠０の部位があることを特徴とする略環状フレーム構造体のＬＥＤ電球保持具。
【請求項４】
ＬＥＤ電球から射出された光束を制御する回路を具備する、若しくは、装着可能である請求項１〜３に記載のＬＥＤ電球保持具。
【発明の詳細な説明】
【技術分野】
【０００１】
蛍光灯器具に装着し、ＬＥＤ電球を点灯させるための電球ソケットを具備した略フレーム構造のＬＥＤ電球保持具。
【背景技術】
【０００２】
蛍光灯形ＬＥＤランプは、蛍光灯の点灯形式、大きさ、形状が多様であり、電球形ＬＥＤランプと比較すると価格が高いために、電球形ＬＥＤランプほど普及は進んでいない。
【０００３】
また、事務所等で使用されている蛍光灯の光は、ＬＥＤランプの光と比較すると拡散性が強く、部屋全体を明るくするには効果的であるが、働く人の手元を明るくするには照度不足の場合がある。
【０００４】
家庭内で広く普及している環状蛍光灯器具は点灯形式、大きさ、形状が多様であり、ＬＥＤ電球に比較すると価格が高いため、環状蛍光灯形ＬＥＤランプはＬＥＤ電球ほど普及していない。
【０００５】
上記課題を解決するために、広く普及している蛍光灯器具を改造することなく、若しくは、軽微な改造によって、蛍光灯形ＬＥＤランプより安価な、ＬＥＤ電球が使用できるようにし、所定の範囲内であれば照らす方向を変えることができる電球ソケットを具備し、蛍光灯器具に蛍光灯と同程度の簡便さで装着できるＬＥＤ電球保持具は提案されている。（特許文献１〜３）
【先行技術文献】
【特許文献】
【０００６】
【特許文献１】特許第５０６１３０３号公報
【特許文献２】特許第４８３５８９０号公報
【特許文献３】特開２０１３−１０１８５０
【発明の概要】
【発明が解決しようとする課題】
【０００７】
特許文献１〜３の実施例は、ＬＥＤ電球を蛍光灯器具に蛍光灯と同程度の簡便さで装着できるＬＥＤ電球保持具である。両者の直管形蛍光灯用の部材構成は、重量を蛍光灯器具に伝達する主構造部位と、ＬＥＤ電球ソケット部分を保持し主構造部位に取り付く部位と、ＬＥＤ電球ソケットとからなる。
【０００８】
また、特許文献１、文献２の直管形蛍光灯用の実施例では、ＬＥＤ電球の照明方向を変えることができる。文献１の実施例のＬＥＤ電球の照明方向を変える方法は、前記ＬＥＤ電球ソケット部分を保持し主構造部位に取り付く部位によりＬＥＤ電球ソケットが一軸で回動する、もしくは、該軸に直交する軸との２軸それぞれに回動できる。そして文献２の実施例では首振り自在に可動できる。
【０００９】
文献１の環状蛍光灯用の実施例では、略環状フレーム構造に取り付くＬＥＤ電球ソケットが一軸で回動する、もしくは、該軸に直交する軸との２軸それぞれに回動できる。
【００１０】
文献１の実施例で、ＬＥＤ電球ソケットが２軸で回動する部分は、構造が複雑であり、部材内の配線も容易ではない。
【００１１】
本発明は、上記課題を解決するためになされ、その目的とするところは、文献１の実施例に示されるＬＥＤ電球ソケットが回動する部分の構造の複雑さを少なくし、部材内の配線を容易にし、デザイン性を向上させることにある。
【課題を解決するための手段】
【００１２】
請求項１は、文献１の請求項１にある直管形蛍光灯用のＬＥＤ電球保持具の一対の前記主要構造部位のサイドメンバーを２次元的、的及び３次元的に変形させること、及び／または、三つ以上のサイドメンバーを配置することにより3次元的に区々の方向にＬＥＤ電球ソケットを配置できるようにし、ＬＥＤ電球ソケットが固定、若しくは１軸回動であっても広範囲な照明ができる。
【００１３】
しかし、文献１の実施例ではＬＥＤ電球ソケットが一対のサイドメンバーで構成する水平面内に直線形に配置されるように示されている。そのために広範囲な照明方向にするためには、ＬＥＤ電球ソケットの１軸回動若しくは２軸回動が必要であった。
【００１４】
本請求項１では、直管形蛍光灯器具の一対の蛍光灯ソケットを結ぶ直線をｘ軸とし、その一端の座標を原点（０、０、０）とし、他端の座標を（ｘend、０、０）とし、鉛直方向をz軸とし、x軸とz軸に直交する方向をy軸とし、サイドメンバーの変形が数式で示されている。
【００１５】
一対のサイドメンバーであれば、そのサイドメンバーを２次元的、及び／または、３次元的に変化させることにより、ＬＥＤ電球ソケットが固定、若しくは１軸回動であっても、文献１提案の保持具のＬＥＤ電球ソケットの１軸回動、若しくは２軸回動に近い効果がでる。
【００１６】
三つ以上のサイドメンバーであれば、それらが直線であっても、それらを3次元的な配置することにより、ＬＥＤ電球ソケットが固定、若しくは１軸回動であっても、文献１提案の保持具のＬＥＤ電球ソケットの１軸回動、若しくは２軸回動に近い効果がでる。
【００１７】
サイドメンバーＳ１，Ｓ２、・・・Ｓｎが、同じｘ値の任意の点（ｘ、ｙ１（ｘ）、ｚ１（ｘ））、（ｘ、ｙ２（ｘ）、ｚ２（ｘ））、・・・（ｘ、ｙｎ（ｘ）、ｚｎ（ｘ））で、それら任意の点それぞれの間隔を等距離に、及び／または、非等距離にできる。
【００１８】
サイドメンバーは、それらが直線、及び／または、曲線により構成できる。
【００１９】
サイドメンバーは、波形、及び／または、らせん形、及び／または、直線的山谷形等を２次元的、的に及び３次元的に変化させることにより、照明方向を多様にすることができる。
【００２０】
制御回路を設置し、電球一つずつのスイッチの入り切ができる。及び／または、電球一つずつの照度を変化させることができる。それにより、常夜灯としても使用できる。
【００２１】
請求項４の光束を制御する制御回路が具備でき、全電球による一つの１／ｆゆらぎや、方向案内の矢印等の光の演出ができる。また、ＬＥＤ電球保持具が複数個の場合、それらの全電球により１／ｆゆらぎや、方向案内の矢印等の光の演出ができる。
【００２２】
サイドメンバーの中にフレーム構造以外の構造体を設置することができる。
【００２３】
サイドメンバーが２以上の多重らせん形は、端部のお収まりをよくするために、その捩じり角度を９０度の倍数にすることができる。
【００２４】
直管形蛍光灯用のＬＥＤ電球保持具は、鉛直方向のスタンド型の補助器具に取付けて使用することができる。
【００２５】
三つ以上のサイドメンバーを持つ直管形蛍光灯用のＬＥＤ電球保持具は、補助器具無しで、鉛直方向に自立するスタンド型としても使用することができる。
【００２６】
ｎ個のサイドメンバーをｎ重らせんに配置することができ、ｎ＞ｍである（ｎ−ｍ）重らせん構造と他の形状フレーム、及び／または、他の構造体との混成もできる。
【００２７】
多重らせんを構成するサイドメンバーの中に他のフレーム形状を設置することもできる。
【００２８】
多重らせんを構成するサイドメンバーの中にフレーム構造以外の構造体を設置することもできる。
【００２９】
多重らせんを構成するサイドメンバーは、隣り合うサイドメンバーの距離が同じであることも、異なることもできる。
【００３０】
本提案にもＬＥＤ電球ソケットが２軸回動の部位を具備することもでき、そのことにより、よりデザイン性を高めることもできる。
【００３１】
ＬＥＤ電球保持具に彩色することによりデザイン性を向上できる。
【００３２】
請求項２は、文献１の請求項２と同一であり、具体的な電源の供給方法を示している。先ずは蛍光灯ソケットから、または、点灯管ソケットから電源の供給を受ける場合である。ＬＥＤ電球保持具は、それらの電源をＬＥＤ電球が使用できる電源に制御する制御回路を保持具構造体に内蔵することができる。また、その制御回路は、保持具構造体へ着脱可能に装着することもできる。
【００３３】
また、制御回路がＬＥＤ電球保持具の構造体に着脱可能の場合である。蛍光灯ソケットから電源の供給をうける部位、及び点灯管ソケットから電源の供給をうける部位のそれぞれの部位が制御回路を具備している。
そして、制御回路を必要としない商用電源コンセントから直接に電源の供給を受ける部位と、蛍光灯器具が具備する常夜灯用白熱電球ソケットから電源の供給を受ける部位は制御回路を具備しない。
【００３４】
制御回路を具備するいずれの部位であっても、制御回路を具備しないいずれの部位であっても、ＬＥＤ電球保持具に固着するか、若しくは着脱可能に装着することができる。また、ＬＥＤ電球保持具の構造体は、いずれの部位であっても装着することができるソケットを具備することが可能である。
【００３５】
蛍光灯器具が直管形蛍光灯器具の場合にＬＥＤ電球保持具が蛍光灯ソケットから電源の供給を受ける時以外は、ＬＥＤ電球保持具が蛍光灯器具に保持されるために蛍光灯ソケットに差し込まれるピンは、安全のために電気絶縁する必要がある。
【００３６】
直管形蛍光灯用のＬＥＤ電球保持具は、蛍光灯器具に取り付けなくても必要な電源の供給を受けられるため、蛍光灯器具を使用しないで、スタンド型、吊り下げ型、壁に埋め込み型、テーブル、棚等に直置きし照明オブジェとしても使用できる。
【００３７】
直管形蛍光灯用のＬＥＤ電球保持具のＬＥＤ電球ソケットへの電源線の配線は、ＬＥＤ電球保持具部材内側、及び／または、外側で可能である。
【００３８】
制御回路を具備し、電球一つずつのスイッチの入り切ができる。また、照度を変化させることができる。それにより、常夜灯としても使用できる。及び／または、請求項４の光束を制御する制御回路が具備でき、全電球による一つの１／ｆゆらぎや、方向案内の矢印等の光の演出ができる。また、ＬＥＤ電球保持具が複数個の場合、それらの全電球により１／ｆゆらぎや、方向案内の矢印等の光の演出ができる。
【００３９】
請求項３は、文献１の請求項４にある一つ以上の略棒状部材で構成された略環状フレーム構造体の環状蛍光灯用のＬＥＤ電球保持具において、該ＬＥＤ電球保持具の略環状フレームを変形させるものである。文献１の実施例では水平面内の略円形が示されている。そのために広範囲な照明方向にするためには、ＬＥＤ電球ソケットは１軸若しくは２軸の回動であることが必要であった。
【００４０】
本請求項３は、水平面に設置された略円形の略環状ＬＥＤ電球保持具の一部を水平面の方向に変形させ、及び／または、鉛直方向に変形させることにより、ＬＥＤ電球ソケットが固定若しくは１軸の回動であっても文献１のＬＥＤ電球ソケットが１軸回動若しくは２軸回動に近い効果がでる。
【００４１】
蛍光灯器具に取り付けなくても必要な電源を供給することにより使用可能であるため、蛍光灯器具を使用しないで、スタンド型、吊り下げ型、壁に埋め込み型、テーブル、棚等に直置きし照明オブジェとしても使用できる。
【００４２】
環状蛍光灯用のＬＥＤ電球保持具のＬＥＤ電球ソケットへの電源線の配線は、略環状フレーム構造体内側、及び／または、外側で可能である。
【００４３】
略環状フレーム構造体は、直線、及び／または、曲線で構成できる。また、略環状フレーム構造体の中間にフレーム構造以外の構造体を入れることができる。
【００４４】
略環状フレーム構造体を波形、及び／または、らせん形、及び／または、直線的山谷形等を２次元的、的に及び３次元的に変化でき、それにより照明方向を多様にすることができる。
【００４５】
制御回路を設置し、電球一つずつのスイッチの入り切ができる。また、照度を変化させることができる。それにより、常夜灯としても使用できる。
【００４６】
請求項４の光束を制御する制御回路が具備でき、全電球により一つの１／ｆゆらぎや、方向案内の矢印等の光の演出ができる。ＬＥＤ電球保持具が複数個の場合、それらの全電球により１／ｆゆらぎや、方向案内の矢印等の光の演出ができる。
【００４７】
直管形蛍光灯用のＬＥＤ電球保持具と同様に、請求項２で示す電源を供給する制御回路や部位等を具備できる。
【００４８】
本提案にもＬＥＤ電球ソケットが２軸回動する部位を具備することもでき、そのことにより、よりデザイン性を高めることもできる。
【発明の効果】
【００４９】
文献１のＬＥＤ電球保持具のフレーム構造体を２次元的、及び／または、３次元的に変形させることにより、そのＬＥＤ電球ソケットが１軸回動であっても、文献１のＬＥＤ電球ソケットが２軸回動で照明方向を変える実施例のＬＥＤ電球保持具とほぼ同等の効果が出る。また、本提案のＬＥＤ電球ソケットが固定されていても、文献１のＬＥＤ電球ソケットが１軸回動させて照明方向を変えるのとほぼ同等の効果が出る。その結果、文献１のＬＥＤ電球ソケットの回動機能の複雑さを簡易化できる。
【００５０】
三つ以上のサイドメンバーであれば、それらサイドメンバーを3次元的に配置することにより、そのＬＥＤ電球ソケットが１軸回動であっても、文献１のＬＥＤ電球ソケットが２軸回動で照明方向を変える実施例のＬＥＤ電球保持具とほぼ同等の効果が出る。また、本提案のＬＥＤ電球ソケットが固定されていても、文献１のＬＥＤ電球ソケットが１軸回動させて照明方向を変えるのとほぼ同等の効果が出る。また、サイドメンバーを２次元的、及び／または、３次元的に変形させることにより、ＬＥＤ電球保持具全体のデザイン性を向上させることができる。
【００５１】
ＬＥＤ電球ソケットは複数個具備されるので、白色系、電球色系を組み合わせ、そして、電球の方向に変化を与えることにより、照明器具としてのデザイン性を向上させることができる。また、電源の規格が合致すれば、電球形蛍光灯や白熱電灯も使用でき、更にデザイン性を向上させることができる。
【００５２】
また、直管形蛍光灯用ＬＥＤ電球保持具を鉛直方向に設置するスタンド型としても使用することも可能である。また、蛍光灯器具に取り付けなくても必要な電源を供給することにより使用可能であるため、蛍光灯器具を使用しないで吊り下げたり、壁に埋め込んだり、テーブル、棚等に直置きし照明オブジェとしても使用できる。
【００５３】
環形蛍光灯用ＬＥＤ電球保持具は、蛍光灯器具に取り付けなくても必要な電源を供給することにより使用可能であるため、蛍光灯器具を使用しないで吊り下げたり、壁に埋め込んだり、テーブル、棚等に直置きし照明オブジェとしても使用できる。
【００５４】
ユーザーが所有する既存の蛍光灯器具だけでなく、メーカーが在庫で所有する蛍光灯器具に本発明を固着、または、着脱可能に装着し、新商品として販売することもできる。また、本発明を蛍光灯器具以外に取り付け新商品として販売することもできる。
【図面の簡単な説明】
【００５５】
【図１】一対のソケット間方向を中心軸として、一対のサイドメンバーを３６０度ねじり変形させた直管形蛍光灯用ＬＥＤ電球保持具の図である。  （実施例１）
【図２】一対のソケット間方向を中心軸として、一対のサイドメンバーを３６０度ねじり変形させた直管形蛍光灯用ＬＥＤ電球保持具を蛍光灯器具から取り外した図である。   (実施例１)
【図３】一対のサイドメンバーを水平方向に波状に変形させた直管形蛍光灯用ＬＥＤ電球保持具の図である。  (実施例２)
【図４】一対のサイドメンバーを鉛直方向に波状に変形させた直管形蛍光灯用ＬＥＤ電球保持具の図である。  (実施例３)
【図５】三つのサイドメンバーを一対のソケット間方向に立体的に配置した直管形蛍光灯用ＬＥＤ電球保持具の図である。  (実施例４)
【図６】一対のソケット間方向を中心軸として、一対のサイドメンバーを５４０度ねじり変形させると共に、一対のソケット間方向に直交する方向を中心軸として１８０度の回転を異なる２か所で行った直管形蛍光灯用ＬＥＤ電球保持具の図である。  (実施例５)
【図７】一対のソケット間方向を中心軸として、一対のサイドメンバーを１８０度ねじり変形をさせた直管形蛍光灯用ＬＥＤ電球保持具の図である。  (実施例６)
【図８】一対のソケット間方向を中心軸として、一対のサイドメンバーを１８０度ねじり変形をさせた直管形蛍光灯用ＬＥＤ電球保持具の図である。  (実施例７)
【図９】一対のソケット間方向を中心軸として、一対のサイドメンバーを２７０度ねじり変形をさせた直管形蛍光灯用ＬＥＤ電球保持具の図である。  (実施例８)
【図１０】一対のソケット間方向を中心軸として、一対のサイドメンバーを７２０度ねじり変形をさせた直管形蛍光灯用ＬＥＤ電球保持具の図である。  (実施例９)
【図１１】一対のソケット間方向を中心軸として、一対のサイドメンバーを２７０度ねじり変形させ、鉛直方向に自立させた直管形蛍光灯用ＬＥＤ電球保持具のスタンド型の図である。  (実施例１０)
【図１２】一対のソケット間方向を中心軸として、三つのサイドメンバーを１８０度ねじり変形させ、鉛直方向に自立させた直管形蛍光灯用ＬＥＤ電球保持具のスタンド型の図である。  (実施例１１)
【図１３】円の環状フレーム上の均等間隔にある６点を水平方向及び鉛直方向に変形させた環形蛍光灯用ＬＥＤ電球保持具を環形蛍光灯器具に装着した図である。  (実施例１２)
【図１４】円の環状フレーム上の均等間隔にある６点を水平方向及び鉛直方向に変形させた環形蛍光灯用ＬＥＤ電球保持具の図である。  (実施例１２)
【図１５】円の環状フレーム上の均等間隔にある６点を水平方向及び鉛直方向に変形させた環形蛍光灯用ＬＥＤ電球保持具の底面図である。  (実施例１２)
【図１６】円の環状フレーム上の均等間隔にある５点を水平方向及び鉛直方向に変形させた環形蛍光灯用ＬＥＤ電球保持具の図である。  (実施例１３)
【図１７】円の環状フレーム上の均等間隔にある５点を水平方向及び鉛直方向に変形させた環形蛍光灯用ＬＥＤ電球保持具の底面図である。  (実施例１３)
【図１８】円の環状フレーム上の均等間隔にある４点を水平方向及び鉛直方向に変形させた環形蛍光灯用ＬＥＤ電球保持具の図である。  (実施例１４)
【図１９】円の環状フレーム上の均等間隔にある４点を水平方向及び鉛直方向に変形させた環形蛍光灯用ＬＥＤ電球保持具の底面図である。  (実施例１４)
【図２０】円の環状フレーム上の均等間隔にある３点を水平方向及び鉛直方向に変形させた環形蛍光灯用ＬＥＤ電球保持具の図である。  (実施例１５)
【図２１】円の環状フレーム上の均等間隔にある３点を水平方向及び鉛直方向に変形させた環形蛍光灯用ＬＥＤ電球保持具の底面図である。  (実施例１５)
【図２２】直管形蛍光灯器具用のＬＥＤ電球保持具が蛍光灯ソケットへ取り付く部位の図である。  (実施例１６)
【図２３】電源供給を受ける４種類の部位が着脱可能である事例を示す図である。  (実施例１７)
【実施例１】
【００５６】
図１、図２は、サイドメンバーを略らせん状に３６０度ねじり変形させ、該ねじり変形の中心と蛍光灯器具の一対のソケット間方向の中心軸を一致させ、該中心軸を支点に略らせん状のサイドメンバーを１８０度回転した位置に同形のサイドメンバーを追加設置した２重らせん状の直管形蛍光灯用ＬＥＤ電球保持具である。
【００５７】
図１は直管形蛍光灯用ＬＥＤ電球保持具を蛍光灯器具に取付けた図であり、図２は蛍光灯器具から取り外した図である。
【００５８】
ＬＥＤ電球ソケットは、サイドバーに取りつくクロスメンバー６ａ若しくは６ａに取り付くＬＥＤ電球ソケット部で１軸回動する。
【００５９】
ＬＥＤ電球の照明方向は区々であるため、文献１では２軸回動が必要であったところを、本提案では１軸回動により、ほぼ同等の照明範囲拡大効果が得られる。
【００６０】
Ｓ１、Ｓ２は、座標ｘ値が同じ点では等距離にあるため、クロスメンバーは全て同一部材でよい。以下の実施例でも同様である。
【００６１】
サイドメンバーの中間部に異なる形状のフレーム構造を配置したり、球体等のフレーム構造以外の構造体を配置することができる。以下の実施例でも同様である。
【００６２】
実施例は、前記中心軸を支点に略らせん状のサイドメンバーを１８０度回転させた位置に設置しているが、どのような角度にも回転し設置できる。また、どのようなｎ重らせん形状であっても、この回転設置方法は使用できる。
【００６３】
電源の供給方法や配線方法は多様であるため、蛍光灯器具に取付けず使用できる。該使用方法は、図２の直管形蛍光灯用ＬＥＤ電球保持具をそのまま吊り下げる方法、壁に直接に取り付ける方法、スタンド型の器具に取付ける方法、棚や机の上に照明オブジェとして使用する方法等である。以下の実施例でも同様である。
【００６４】
本実施例で、更に照明方向範囲を広げるために、また、デザイン性を向上するために２軸回動を具備することもできる。以下の実施例でも同様である。
【実施例２】
【００６５】
図３は、蛍光灯器具の一対のソケット間方向を中心軸として一対のサイドメンバーを水平方向に波上に変形させた直管形蛍光灯用ＬＥＤ電球保持具である。
【００６６】
蛍光灯器具の一対のソケット間方向を中心軸の直交方向に、ＬＥＤ電球の照明方向は区々であるため、文献１では１軸回動が必要であったところを、本提案ではＬＥＤ電球ソケット固定により、ほぼ同等の照明範囲拡大効果が得られる。
【００６７】
本実施例で、更に照明方向範囲を広げるために、また、デザイン性を向上するために１軸回動若しくは２軸回動を具備することができる。
【実施例３】
【００６８】
図４は、蛍光灯器具の一対のソケット間方向を中心軸として一対のサイドメンバーを鉛直方向に波上に変形させた直管形蛍光灯用ＬＥＤ電球保持具である。
【００６９】
蛍光灯器具の一対のソケット間方向を中心軸方向に、ＬＥＤ電球の照明方向は区々であるため、文献１では１軸回動が必要であったところを、本提案ではＬＥＤ電球ソケット固定により、ほぼ同等の照明範囲拡大効果が得られる。
【００７０】
本実施例で、更に照明方向範囲を広げるために、また、デザイン性を向上するために１軸回動若しくは２軸回動を具備することができる。
【実施例４】
【００７１】
図５は、蛍光灯器具の一対のソケット間方向を中心軸として、中心軸を重心として三つのサイドメンバーを正三角形に配置した直管形蛍光灯用ＬＥＤ電球保持具である。
【００７２】
蛍光灯器具の一対のソケット間方向を中心軸の直交方向に、ＬＥＤ電球の照明方向を２方向であり、文献１では１軸回動が必要であったところを、本提案ではＬＥＤ電球ソケット固定により、近い照明範囲拡大効果が得られる。
【００７３】
蛍光灯器具の一対のソケット間方向を中心軸として、中心軸を重心として三つのサイドメンバーを多様な三角形状にすることができる。
【００７４】
蛍光灯器具の一対のソケット間方向を中心軸として、中心軸を重心として三つのサイドメンバーを多様な三角形状にすることができるため、照明方向をニーズに合わせることができる。
【００７５】
三つのサイドメンバーによる３重らせん形にすることもできる。
【００７６】
三つのサイドメンバーによる略３重らせん形と他のフレーム構造、及び／または、他の構造体の混成できる。
【００７７】
蛍光灯器具に取付けず使用する方法は実施例１０で示す通りだが、３つ以上のサイドメンバーを具備する直管形蛍光灯用ＬＥＤ電球保持具は、スタンド型の器具を使わずに自立型のスタンドにすることができる。
【実施例５】
【００７８】
図６は、蛍光灯器具の一対のソケット間方向を中心軸として一対のサイドメンバーを略らせん状に５４０度ねじり変形させた２重らせん状の中間に、該中心軸に直交する軸を中心に３６０度回転させた二つのループを接合した直管形蛍光灯用ＬＥＤ電球保持具である。
【００７９】
ＬＥＤ電球の照明方向は区々であるため、文献１では２軸回動が必要であったところを、本提案では１軸回動により、ほぼ同等の照明範囲拡大効果が得られる。
【００８０】
前記ループ形状以外に多角形状であってもよい。ループ形状の組合せであってもよく、五つのループによるオリンピック五輪状にすることもできる。
【実施例６】
【００８１】
図７は、サイドメンバーを略らせん状に１８０度ねじり変形させ、該ねじり変形の中心と蛍光灯器具の一対のソケット間方向の中心軸を一致させ、該中心軸を支点に略らせん状のサイドメンバーを１８０度回転した位置に同形のサイドメンバーを追加設置した２重らせん状の直管形蛍光灯用ＬＥＤ電球保持具である。
【００８２】
ＬＥＤ電球の照明方向は区々であるため、文献１では２軸回動が必要であったところを、本提案では１軸回動により、ほぼ同等の照明範囲拡大効果が得られる。
【００８３】
図７、図８のねじり変形角度は１８０度で同じであるが、図７は図８を９０度ずらして蛍光灯器具に取り付くため、端部分のディテールが異なる。
【００８４】
端部のディテールは、図７の方がシンプルである。
【実施例７】
【００８５】
図８は、サイドメンバーを略らせん状に１８０度ねじり変形させ、該ねじり変形の中心と蛍光灯器具の一対のソケット間方向の中心軸を一致させ、該中心軸を支点に略らせん状のサイドメンバーを１８０度回転した位置に同形のサイドメンバーを追加設置した２重らせん状の直管形蛍光灯用ＬＥＤ電球保持具である。
【００８６】
ＬＥＤ電球の照明方向は区々であるため、文献１では２軸回動が必要であったところを、本提案では１軸回動により、ほぼ同等の照明範囲拡大効果が得られる。
【実施例８】
【００８７】
図９は、サイドメンバーを略らせん状に４５０度ねじり変形させ、該ねじり変形の中心と蛍光灯器具の一対のソケット間方向の中心軸を一致させ、該中心軸を支点に略らせん状のサイドメンバーを１８０度回転した位置に同形のサイドメンバーを追加設置した２重らせん状の直管形蛍光灯用ＬＥＤ電球保持具である。
【００８８】
ＬＥＤ電球の照明方向は区々であるため、文献１では２軸回動が必要であったところを、本提案では１軸回動により、ほぼ同等の照明範囲拡大効果が得られる。
【００８９】
一対のサイドメンバーのねじり変形角度が、９０度の奇数倍数となるため、図７の端部と図８の端部のディテールを併せ持つ。
【実施例９】
【００９０】
図１０は、サイドメンバーを略らせん状に７２０度ねじり変形させ、該ねじり変形の中心と蛍光灯器具の一対のソケット間方向の中心軸を一致させ、該中心軸を支点に略らせん状のサイドメンバーを１８０度回転した位置に同形のサイドメンバーを追加設置した２重らせん状の直管形蛍光灯用ＬＥＤ電球保持具である。
【００９１】
ＬＥＤ電球の照明方向は区々であるため、文献１では２軸回動が必要であったところを、本提案では１軸回動により、ほぼ同等の照明範囲拡大効果が得られる。
【００９２】
ねじり変形角度は、これまでの実施例に示すように多様に変化できる。
【実施例１０】
【００９３】
図１１は、サイドメンバーを略らせん状に４５０度ねじり変形させ、該ねじり変形の中心と蛍光灯器具の一対のソケット間方向の中心軸を一致させ、該中心軸を支点に略らせん状のサイドメンバーを１８０度回転した位置に同形のサイドメンバーを追加設置した２重らせん状の直管形蛍光灯用ＬＥＤ電球保持具を、電源の供給ができるスタンド型の蛍光灯器具に取付けた実施例である。
【００９４】
ＬＥＤ電球の照明方向は区々であるため、文献１では２軸回動が必要であったところを、本提案では１軸回動により、ほぼ同等の照明範囲拡大効果が得られる。
【００９５】
ねじり変形角度は、これまでの実施例に示すように多様に変化できる。
【００９６】
サイドメンバーの中間部に異なる形状のフレーム構造を配置したり、球体等のフレーム構造以外の構造体を配置することができる。
【００９７】
電源の供給方法や配線方法は多様であるため、電源供給ができる蛍光灯器具に取付けず使用できる。
【実施例１１】
【００９８】
図１３は、サイドメンバーを略らせん状に１８０度ねじり変形させ、該ねじり変形の中心と蛍光灯器具の一対のソケット間方向の中心軸を一致させ、該中心軸を支点に略らせん状のサイドメンバーを１２０度回転した位置と２４０度回転した位置それぞれに、同形のサイドメンバーを追加設置した３重らせん状の直管形蛍光灯用ＬＥＤ電球保持具を、電源の供給ができるスタンド型の蛍光灯器具に取付けた実施例である。
【００９９】
ＬＥＤ電球の照明方向は区々であるため、文献１では２軸回動が必要であったところを、本提案では１軸回動により、ほぼ同等の照明範囲拡大効果が得られる。
【０１００】
ねじり変形角度は、これまでの実施例に示すように多様に変化できる。
【０１０１】
サイドメンバーの中間部に異なる形状のフレーム構造を配置したり、球体等のフレーム構造以外の構造体を配置することができる。
【０１０２】
電源の供給方法や配線方法は多様であるため、蛍光灯器具に取付けず使用できる。また、三つのサイドメンバーであるためスタンド型の照明器具がなくても自立できる。
【実施例１２】
【０１０３】
図１３、図１４、図１５は円形の６か所を水平方向及び鉛直方向に変形させた環形蛍光灯用ＬＥＤ電球保持具の実施例である。
【０１０４】
図１３は電源の供給ができる環形蛍光灯器具に、環形蛍光灯用ＬＥＤ電球保持具を取付けた図である。
【０１０５】
図１４は環形蛍光灯用ＬＥＤ電球保持具を環形蛍光灯器具から取り外した図である。
【０１０６】
図１５は環形蛍光灯用ＬＥＤ電球保持具の底面図である。
【０１０７】
ＬＥＤ電球の照明方向は区々であるため、文献１では２軸回動が必要であったところを、本提案では１軸回動により、ほぼ同等の照明範囲拡大効果が得られる。
【０１０８】
環形蛍光灯用ＬＥＤ電球保持具を円形から水平方向、及び／または、鉛直方向に変形させる点は１か所以上である。
【０１０９】
略環状フレーム構造体の中間部に異なる形状のフレーム構造体を配置したり、球体等のフレーム構造以外の構造体を配置することができる。
【０１１０】
電源の供給方法や配線方法は多様であるため、環形蛍光灯用ＬＥＤ電球保持具を電源供給ができる蛍光灯器具に取付けず使用できる。
【実施例１３】
【０１１１】
図１６は円形の５か所を水平方向及び鉛直方向に変形させた環形蛍光灯用ＬＥＤ電球保持具の実施例である。
【０１１２】
図１７は環形蛍光灯用ＬＥＤ電球保持具の底面図である。
【０１１３】
ＬＥＤ電球の照明方向は区々であるため、文献１では２軸回動が必要であったところを、本提案では１軸回動により、ほぼ同等の照明範囲拡大効果が得られる。以下の実施例でも同様である。
【０１１４】
環形蛍光灯用ＬＥＤ電球保持具を円形から水平方向、及び／または、鉛直方向に変形させる点は１か所以上であればよい。以下の実施例でも同様である。
【０１１５】
略環状フレーム構造体の中間部に異なる形状のフレーム構造体を配置したり、球体等のフレーム構造以外の構造体を配置することができる。以下の実施例でも同様である。
【０１１６】
スタンド型、吊り下げ型、壁に埋め込み型、テーブル、棚等に直置きし照明オブジェとしても使用できる。
【０１１７】
電源の供給方法や配線方法は多様であるため、環形蛍光灯用ＬＥＤ電球保持具を電源供給ができる蛍光灯器具に取付けず使用できる。以下の実施例でも同様である。
【０１１８】
蛍光灯器具に取付けず使用する方法は、環形蛍光灯用ＬＥＤ電球保持具をそのまま吊り下げる方法、壁に直接に取り付ける方法、スタンド型の器具に取付ける方法、棚や机の上に照明オブジェとして使用する方法等である。以下の実施例でも同様である。
【実施例１４】
【０１１９】
図１６は円形の４か所を水平方向及び鉛直方向に変形させた環形蛍光灯用ＬＥＤ電球保持具の実施例である。
【０１２０】
図１７は環形蛍光灯用ＬＥＤ電球保持具の底面図である。
【実施例１５】
【０１２１】
図１６は円形の３か所を水平方向及び鉛直方向に変形させた環形蛍光灯用ＬＥＤ電球保持具の実施例である。
【０１２２】
図１７は環形蛍光灯用ＬＥＤ電球保持具の底面図である。
【実施例１６】
【０１２３】
部位４ａは、ＬＥＤ電球オンオフスイッチング装置を内蔵し、新たに常夜灯も具備できる。部位４ｂは、ＬＥＤ電球をオンオフするためのスイッチである。
【実施例１７】
【０１２４】
図１０に電源供給を受ける数種類の部位の実施例を示す。それらは、常夜灯用白熱電球ソケットから電源を受ける部位３Ｃ、直接に商用電源から電源を受ける部位３ｅ、環状蛍光灯ソケットから電源を受ける部位３ｆ、点灯管ソケットから電源を受ける部位３ｄである。
【０１２５】
部位３ｃ、３ｄ、３ｅ、３ｆは、保持具構造体４ａのソケット７に着脱可能である。口金部分３ｃ２、３ｄ２、３ｅ２、３ｆ２は回転自在であり、ケーブルが捩れること無く、ソケット７に捩じ込むことができる。
環状蛍光灯ソケットから電源を受ける部位３ｆ、点灯管ソケットから電源を受ける部位３ｄそれぞれは、電源を制御する制御回路３ｆ３、３ｄ３を具備している。
【０１２６】
電源を受ける部位３ｃ、３ｄ、３ｅによる、電源供給を受ける方法は、直管形蛍光灯器具にも使用できる。但し、この場合、直管形蛍光灯ソケットに装着されるピンは安全のために電気絶縁をする必要がある。
【符号の説明】
【０１２７】
１ ＬＥＤ電球保持具
１ａ 直管形蛍光灯器具用のＬＥＤ電球保持具構造体
Ｓ１  主要構造部材である、サイドメンバーの一つ
Ｓ２  主要構造部材である、サイドメンバーの一つ
１ｂ 環状蛍光灯器具用のＬＥＤ電球保持具構造体
２ ＬＥＤ電球
３ 電源供給を受ける部位
３ａ 直管形蛍光灯ソケットから電源供給を受け、保持具全体を保持する部位
３ｂ 環状蛍光灯ソケットから電源供給を受ける部位
３ｃ 保持具構造体に着脱可能な、常夜灯用白熱電球ソケットから電源供給を受ける部位
３ｃ１ 常夜灯用白熱電球ソケットに螺合する口金
３ｃ２ 保持具構造体内配線へ繋がるソケットに螺合する口金
３ｄ 保持具構造体に着脱可能な、点灯管ソケットから電源供給を受ける部位
３ｄ１ 点灯管ソケットに螺合する口金
３ｄ２ 保持具構造体内配線へ繋がるソケットに螺合する口金
３ｄ３ ＬＥＤ電球が使用できる電源に制御するための制御回路
３ｅ 保持具構造体に着脱可能な、直接に商用電源コンセントから電源供給を受ける部位
３ｅ１ 商用電源コンセント用のプラグ
３ｅ２ 保持具構造体内配線へ繋がるソケットに螺合する口金
３ｆ 保持具構造体に着脱可能な、環状蛍光灯ソケットから電源供給を受ける部位
３ｆ１ 環状蛍光灯ソケットに装着する口金
３ｆ２ 保持具構造体内配線へ繋がるソケットに螺合する口金
３ｆ３ ＬＥＤ電球が使用できる電源に制御するための制御回路
４ 制御回路が内蔵された部位
４ａ ＬＥＤ電球のオンオフスイッチング回路が内蔵された部位
４ｂ ＬＥＤ電球のオンオフスイッチ
５ ＬＥＤ電球ソケット
６ 直交する２軸のそれぞれの軸回りで回動可能な部位
６ａ 略上下方向の回動支持部位
６ｂ 略水平方向の回動支持部位
７ 保持具構造体内配線へ繋がるソケット
１１ 直管形蛍光灯器具
１１ａ 直管形蛍光灯器具の蛍光灯ソケット
【図１】
2015026551.tif 000003
【図２】
2015026551.tif 000004
【図３】
2015026551.tif 000005
【図４】
2015026551.tif 000006
【図５】
2015026551.tif 000007
【図６】
2015026551.tif 000008
【図７】
2015026551.tif 000009
【図８】
2015026551.tif 000010
【図９】
2015026551.tif 000011
【図１０】
2015026551.tif 000012
【図１１】
2015026551.tif 000013
【図１２】
2015026551.tif 000014
【図１３】
2015026551.tif 000015
【図１４】
2015026551.tif 000016
【図１５】
2015026551.tif 000017
【図１６】
2015026551.tif 000018
【図１７】
2015026551.tif 000019
【図１８】
2015026551.tif 000020
【図１９】
2015026551.tif 000021
【図２０】
2015026551.tif 000022
【図２１】
2015026551.tif 000023
【図２２】
2015026551.tif 000024
【図２３】
2015026551.tif 000025